(57)【特許請求の範囲】
【請求項１】
フォークリフトのフォークに着脱自在に保持されるパレットと、下側に取付用突起が設けられ、上側が前記パレットの下面に着脱自在に取り付けられる取付金具と、前記取付用突起に着脱自在に取り付けられる取付部が設けられると共にモップが着脱自在に取り付けられるモップ保持具と、前記モップ保持具が前記取付金具に対して少なくとも上下方向に変位自在となるように前記取付用突起と取付部とを連結する連結手段とを備えた構造であって、
前記取付金具の取付用突起及び前記モップ保持具の取付部が非円形断面形状に形成され、取付部及び取付用突起が相互に差し込まれることにより前記モップ保持具が回転しないように取付金具に取り付けられており、
前記連結手段は、前記取付金具の取付用突起に形成された取付孔と、前記モップ保持具の取付部に形成された上下方向の長穴と、前記取付用突起の取付孔を貫通して前記取付部の長穴に挿入される連結部材とからなり、
前記連結部材を前記取付用突起の取付孔を貫通させて前記取付部の長穴に挿入した状態では、前記モップ保持具は前記長穴の長さ分だけ上下方向に変位可能に取付金具に取り付けられ、前記モップが床面と当接したときモップ保持具が負荷を軽減する上下方向に逃げることが可能となっていることを特徴とするモップ清掃装置。
【請求項２】
前記取付用突起は、前記取付金具の下側に複数が間隔を有して設けられていることを特徴とする請求項１記載のモップ清掃装置。
【請求項３】
前記フォークリフトの走行方向に対し、前記モップの長手方向が略直交する姿勢となるように前記モップ保持具が前記取付金具に取り付けられることを特徴とする請求項１又は２記載のモップ清掃装置。
【請求項４】
前記取付部は、前記モップ保持具の長手方向の略中央部分に設けられていることを特徴とする請求項１〜３のいずれか１項記載のモップ清掃装置。
【発明の詳細な説明】
【技術分野】
【０００１】
本発明は、モップを移動させて床面等を清掃するモップ清掃装置に関する。
【背景技術】
【０００２】
物流センター、配送センター、工場等の床面が広い施設では、床面の清掃作業に多大の労力を費やしている。このため、従来では、荷物を搬送するフォークリフトにモップを取り付けた構造とし、フォークリフトを走行させながらモップによって床面を清掃することが提案されている。
【０００３】
例えば、特許文献１には、モップを取り付けたモップ取付体と、モップ取付体を取り付けるフォーク取付体とを組み付けた構造の清掃装置が記載されている。この清掃装置では、フォーク取付体にフォークリフトのフォークを挿入させることによりモップをフォークリフトのフォークに取り付ける構造となっている。特許文献２には、フォークリフトのフォークの間に鉄板を掛け渡し、この鉄板にモップの支持具を取り付け、支持具にモップを取り付けた構造の清掃装置が記載されている。
【特許文献１】特開２０００−９３３７４号公報
【特許文献２】特開平７−４１２９９号公報
【発明の開示】
【発明が解決しようとする課題】
【０００４】
しかしながら、従来の清掃装置では、フォークリフトのフォークに対してモップを取り付ける構造となっていることから、モップを取り付けた状態では、フォークリフトを荷物運搬という本来の目的に使用することができないものとなる。すなわち、フォークにモップを取り付けた状態では、フォークを荷物載置用のパレットに挿入することができないため、フォークにパレットを取り付けることができなくなる。従って、モップをフォークに取り付けたときには、パレットによる荷物運搬ができなくなり、この場合には、フォークリフトが床面の清掃専用に用いられるだけであり、使用上不便となっている。
【０００５】
本発明は、このような従来の問題点を考慮してなされたものであり、モップを取り付けた状態であっても、フォークリフトによる荷物運搬が可能であり、これにより、床面清掃及び荷物運搬の双方を同時に行うことが可能なモップ清掃装置を提供することを目的とする。
【課題を解決するための手段】
【０００６】  請求項１記載の発明のモップ清掃装置は、フォークリフトのフォークに着脱自在に保持されるパレットと、下側に取付用突起が設けられ、上側が前記パレットの下面に着脱自在に取り付けられる取付金具と、前記取付用突起に着脱自在に取り付けられる取付部が設けられると共にモップが着脱自在に取り付けられるモップ保持具と、前記モップ保持具が前記取付金具に対して少なくとも上下方向に変位自在となるように前記取付用突起と取付部とを連結する連結手段とを備えた構造であって、前記取付金具の取付用突起及び前記モップ保持具の取付部が非円形断面形状に形成され、取付部及び取付用突起が相互に差し込まれることにより前記モップ保持具が回転しないように取付金具に取り付けられており、前記連結手段は、前記取付金具の取付用突起に形成された取付孔と、前記モップ保持具の取付部に形成された上下方向の長穴と、前記取付用突起の取付孔を貫通して前記取付部の長穴に挿入される連結部材とからなり、前記連結部材を前記取付用突起の取付孔を貫通させて前記取付部の長穴に挿入した状態では、前記モップ保持具は前記長穴の長さ分だけ上下方向に変位可能に取付金具に取り付けられ、前記モップが床面と当接したときモップ保持具が負荷を軽減する上下方向に逃げることが可能となっていることを特徴とする。【０００９】
請求項２記載の発明は、請求項１記載のモップ清掃装置であって、前記取付用突起は、前記取付金具の下側に複数が間隔を有して設けられていることを特徴とする。
【００１０】
請求項３記載の発明は、請求項１又は２記載のモップ清掃装置であって、前記フォークリフトの走行方向に対し、前記モップの長手方向が略直交する姿勢となるように前記モップ保持具が前記取付金具に取り付けられることを特徴とする。
【００１１】
請求項４記載の発明は、請求項１〜３のいずれか１項記載のモップ清掃装置であって、前記取付部は、前記モップ保持具の長手方向の略中央部分に設けられていることを特徴とする。
【発明の効果】
【００１２】
本発明によれば、パレットの下面に取付金具を取り付け、取付金具にモップ保持具を取り付けることによりパレットにモップを装着した状態とすることができる。この状態では、フォークリフトのフォークをパレットに挿入することができるため、パレットに荷物を載置してフォークリフトが走行し、パレット下側のモップによる清掃が可能となる。これにより、床面の清掃及び荷物運搬の双方を同時に行うことができる。
【００１３】
本発明によれば、以上に加えて、連結手段を備えることによりモップ保持具が取付金具に対して上下方向に変位可能となっている。このため、モップを床面に接触させる際における床面との当接によってモップ保持具に負荷がかかっても、モップ保持具が負荷を軽減する方向に逃げることができ、床面との接触に起因したモップ保持具の破損や破壊を防止することができる。
【発明を実施するための最良の形態】
【００１４】
図１〜図６は、本発明の一実施形態を示し、図１は一実施形態のモップ清掃装置を示す分解斜視図、図２はフォークリフトへの装着状態を示す斜視図、図３はパレットへの装着状態を示す下側からの斜視図、図４は取付金具の斜視図、図５はモップ保持具の斜視図、図６は取付ブラケットの斜視図、図７はモップの配置状態を示す平面からの斜視図である。
【００１５】
この実施形態のモップ清掃装置１は、図１及び図２に示すように、パレット２と、取付金具３と、モップ保持具４と、モップ５とを備えている。
【００１６】
パレット２は、外形が扁平な略立方体又は扁平な略直方体となるように全体が合成樹脂や木材、アルミニウム等により形成されている。パレット２は上面板２１と下面板２２とが対向すると共に、これらの面板２１、２２が複数の桁部２３によって連結された構造となっている。上面板２１及び下面板２２には、スリット形状や編み目形状の水抜き穴が多数形成されている。
【００１７】
桁部２３は、パレットの側面に一定間隔で形成されており、桁部２３の間はフォークリフト６のフォーク６１が挿入可能な挿入空間２４となっている。この実施形態において、挿入空間２４はパレット２の４側面にそれぞれ複数箇所形成されている。
【００１８】
取付金具３は、図４に示すように、横長の竿部３１と、竿部３１の長手方向に沿って設けられた複数個（５個）の取付用突起３２とを有している。竿部３１はパレット２の下面板２２に着脱自在に取り付けられるものであり、このため長手方向の両端部近辺に取付片３３が直交方向に形成されており、この取付片３３に穴部３４が形成されている。
【００１９】
取付用突起３２は、竿部３１に対して等間隔となるように設けられており、それぞれの取付用突起３２にモップ保持具４が着脱自在に取り付けられる。この実施形態において、取付用突起３２は角筒状の非円形断面形状となっており、その内部にモップ保持具４の取付部４１（図５参照）が挿入されることによりモップ保持具４が組み付けられるようになっている。
【００２０】
モップ保持具４は図１及び図５に示すように、モップ用竿部４２と、取付部４１とを備えている。モップ用竿部４２は、丸パイプ、角パイプ等のパイプ材をＵ字形に屈曲することにより形成されている。そして、Ｕ字形に屈曲された一対のパイプ材を差し込み等により組み付けることによりモップ用竿部４２が形成される。モップ用竿部４２はモップ５に差し込まれるものであり、モップ５への差し込みによりモップ５がモップ保持具４に着脱自在に装着される。なお、一対のパイプ材は調整ビス４４を螺合することにより組み付けられる。又、調整ビス４４を取り外した状態では、モップ用竿部４２の長さが変更可能となっており、これによりモップ５の長さに合わせた調整を行うことができる。
【００２１】
図５において、４３はモップ用竿部４２の長さ方向の略中央部分に設けられた架橋部であり、架橋部４３の中央部分の上面に取付部４１が取り付けられている。取付部４１は取付用突起３２と同様な角筒状の非円形断面形状となっており、溶接等により架橋部４３に固定されている。取付部４１が取付金具３の取付用突起３２の内部に差し込まれることにより、モップ保持具４の取付金具３への着脱自在な取り付けが行われる。又、相互に差し込まれる取付用突起３２及び取付部４１が非円形断面形状となっているため、モップ保持具４は取付金具３、すなわちパレット２に対して回転することがない。これにより、モップ保持具４に取り付けられたモップ５はパレット２に対して回転しないため、清掃時のモップ５の良好な姿勢を保持することができる。
【００２２】
モップ５は公知のモップと同様な構造となっており、図１に示すように、横長の本体部５１と、本体部５１の全周にかけて設けられた撚り糸からなるモップ部５２とを備えている。本体部５１の左右両端部には、袋部５３が設けられており、左右の袋部５３にモップ保持具４のモップ用竿部４２を挿入することにより、モップ５がモップ保持具４に着脱自在に取り付けられる。
【００２３】
以上に加えて、本発明においては、取付金具３の取付用突起３２と、モップ保持具４の取付部４１とを連結する連結手段が設けられている。この連結手段は、それぞれの取付用突起３２に形成された丸いビス穴からなる取付孔７１（図４参照）と、モップ保持具４の取付部４１に形成された長穴７２（図及び図５参照）と、取付孔７１及び長穴７２にかけて挿入される連結部材としての連結ビス７３（図５参照）とを備えている。この場合、長穴７２は連結ビス７３のビス径よりも幾分大きくなっている。
【００２４】
このような連結手段は、モップ保持具４の取付部４１を取付金具３のそれぞれの取付用突起３２に挿入し、取付孔７１と長穴７２とを連通させた状態で連結ビス７３を螺合させることによりモップ保持具４を取付金具３に取り付けるように作用する。取付金具３へのモップ保持具４の取り付け状態においては、長穴７２の長さ分だけモップ保持具４が上下方向に変位可能となっている。この変位により、後述するようにモップ保持具４に作用する負荷を軽減することができる。
【００２５】
次に、この実施形態における組み付けを図３及び図６により説明する。図６は取付金具３をパレット２の下面板２２に取り付けるための取付ブラケット８である。取付ブラケット８はコ字形に屈曲された本体部８１と本体部８１に形成された穴部８２と、片側の穴部８２に溶接されたナット８３とを備えている。取付ブラケット８は図３に示すように、パレット２の下面板２２におけるパレット構成体を本体部８１が挟み込む。この状態で取付金具３を取付ブラケット８に下側から当接させ、穴部３４と穴部８２とを連通させる。そして、連通した穴部３４と穴部８２とに対してねじ８４を貫通させて取付ブラケット８のナット８３に螺合させる。これにより、取付金具３をパレット２の下面板２２に着脱自在に取り付ける。
【００２６】
この実施形態において取付金具３はパレット２の下面板２２の略中央部分に取り付けられる。下面板２２への取付状態の取付金具３においては、複数の取付用突起３２が下方に突出しており、全ての取付用突起３２又は適宜の取付用突起３２に対してモップ保持具４を取り付ける。すなわち、モップ保持具４の取付部４１を取付用突起３２に挿入し、取付孔７１及び長穴７２に対して連結ビス７３を螺合する。連結ビス７３の螺合によりモップ保持具４は取付金具３に対して上下方向へ変位可能に取り付けられる。
【００２７】
なお、モップ５は自由状態のモップ保持具４に予め、取り付けても良く、取付金具３に取り付けられているモップ保持具４に後から取り付けても良い。そして、パレット２の挿入空間２４にフォークリフト６のフォーク６１を挿入することにより、モップ清掃装置１をフォークリフト６に取り付ける。この状態で、モップ５を床面に接触させ、フォークリフト６を走行させることによりモップによる床面の清掃を行うことができ、迅速且つ省労力での清掃が可能となる。
【００２８】
このような実施形態では、パレット２にモップ５を取り付ける構造となっているため、フォークリフト６のフォーク６１がパレット２を保持することができる。従って、パレット２下面のモップ５による床面の清掃と、パレット上への荷物の載置による荷物運搬の双方を同時に行うことができる。
【００２９】
又、この実施形態では、長穴７２及び連結ビス７３からなる連結手段を有し、この連結手段によりモップ保持具４が取付金具３に対して上下方向に変位可能となっているため、モップ５を床面に接触させる際における床面との当接によってモップ保持具４に負荷がかかっても、モップ保持具４が負荷を軽減する上下方向に逃げることができる。このため、床面との接触に起因したモップ保持具４の破損や破壊を防止することができる。さらに、モップ保持具４は長さ方向の略中央部分に設けた取付部４１によって取付金具３に取り付けられることから、モップ保持具４は取付金具３、即ちパレット２に対して長さ方向の両端部（左右端部）が適宜、傾き変位可能となっている。これにより、モップ保持具４は長さ方向（左右方向）においても負荷を軽減する方向に逃げることができ、左右方向からの負荷によるモップ保持具４の破損や破壊を防止することができる。
【００３０】
この実施形態において、取付金具３はパレット２の前後方向に取り付けられ、モップ保持具４は略中央部分の取付部４１が取付金具３の取付用突起３２に差し込まれることにより取付金具３に取り付けられる。このような取付構造では、取り付け状態におけるモップ保持具４、即ちモップ５は、図７に示すようにフォークリフト６の走行方向Ｓに対してその長手方向が略直交した状態となる。即ち、図２に示すように、モップ５はフォークリフト６の前方でフォークリフト６の走行方向Ｓに対して、その長さ方向が略直交する。これにより、床面を幅広く清掃することができる。
【００３１】
本発明は以上の実施形態に限定されることなく種々変形が可能である。例えば、モップ保持具４を変位可能に取付金具に連結する連結手段は、上下方向だけでなく、モップ保持具４を左右方向又は前後方向に変位可能としても良い。この場合については、取付金具３の取付用突起３２又はモップ保持具４の取付部４１の一方に丸穴、角穴などの穴部を形成し、他方にこの穴部よりも大径の丸穴、角穴などの穴部を形成し、これらの穴部に連結部材としてのピンを差し込むことにより可能となる。
【００３２】
又、連結手段を構成する長穴７２を取付金具３の取付用突起３２に形成しても良く、取付用突起３２及びモップ保持具４の取付部４１の双方に形成しても良い。又、取付用突起３２及び取付部４１を連結する連結部材としては、これらを貫通するピンであっても良い。さらに、取付金具３の取付用突起３２は複数でなく、単数であっても良い。
【図面の簡単な説明】
【００３３】
【図１】本発明の一実施形態のモップ清掃装置を示す分解斜視図である。
【図２】フォークリフトに取り付けた状態を示す斜視図である。
【図３】パレット２への装着状態を下から示す斜視図である。
【図４】取付金具を示す斜視図である。
【図５】モップ保持具を示す斜視図である。
【図６】取付ブラケットを示す斜視図である。
【図７】フォークリフトの走行方向に対しての配置を示す斜視図である。
【符号の説明】
【００３４】
１  モップ清掃装置
２  パレット
３  取付金具
４  モップ保持具
５  モップ
６  フォークリフト
３２  取付用突起
４１  取付部
６１  フォーク
【図１】
0005392668.tif 000002
【図２】
0005392668.tif 000003
【図３】
0005392668.tif 000004
【図４】
0005392668.tif 000005
【図５】
0005392668.tif 000006
【図６】
0005392668.tif 000007
【図７】
0005392668.tif 000008